(57)【要約】【課題】  本発明は、プリンタが載置されている平面上のプリンタの後方側に、ファンフォールド紙を収納箱から取り出すことなくセットすることができ、プリンタにファンフォールド紙を安定して供給することができ、用紙詰まりを防止することができる用紙供給装置を提供することを課題とする。【解決手段】  プリンタ３０が載置されている平面上のプリンタ３０の後方側に配置された載置部に載置されたファンフォールド紙を、プリンタ３０の載置面に対して平行で、且つプリンタ３０の用紙供給口と略同じ高さに配置されている搬送ローラ１６によって案内する。搬送ローラ１６は、ファンフォールド紙の送り方向に対して平行に移動可能で、且つ載置部に載置されたファンフォールド紙収納箱に収納されているファンフォールド紙のプリンタ３０に対向する横ミシン目上に固定可能である。【選択図】        図３
2005179042.tif 000002
【特許請求の範囲】
【請求項１】
プリンタにファンフォールド紙を供給する用紙供給装置であって、
前記プリンタが載置されている平面上の前記プリンタの後方側に配置され、前記ファンフォールド紙が収納されたファンフォールド紙収納箱が載置される載置部と、
該載置部と前記プリンタとを連結する連結手段と、
前記プリンタの載置面に対して平行で、且つ前記プリンタの用紙供給口と略同じ高さに配置されている搬送ローラとを具備することを特徴とする用紙供給装置。
【請求項２】
前記搬送ローラは、前記ファンフォールド紙の送り方向に対して平行に移動可能で、且つ前記載置部に載置された前記ファンフォールド紙収納箱に収納されている前記ファンフォールド紙の前記プリンタに対向する横ミシン目上に固定可能であることを特徴とする請求項１記載の用紙供給装置。
【請求項３】
前記ファンフォールド紙収納箱をセンター振り分けで位置決めする一対のガイド板を具備し、
該一対のガイド板には、前記搬送ローラが貫通する長手方向が送り方向に対して平行な長穴がそれぞれ形成されていることを特徴とする請求項２記載の用紙供給装置。
【発明の詳細な説明】
【技術分野】
【０００１】
本発明は、プリンタにファンフォールド紙を供給する用紙供給装置に関し、特にファンフォールド紙収納箱に収納されたファンフォールド紙をプリンタに供給する用紙供給装置に関する。
【背景技術】
【０００２】
一般に、送り穴および横ミシン目を有する連続用紙であるファンフォールド紙は、横ミシン目が折りたたまれた状態で段ボール製の収納箱に収納されて流通しており、プリンタの下側にスペースがある場合には、ファンフォールド紙を収納箱に収納した状態でプリンタの下側にセットし、下側からプリンタにファンフォールド紙を供給するようにしている（例えば、特許文献１参照）。
【０００３】
しかしながら、プリンタの下側にファンフォールド紙をセットするスペースがない場合には、プリンタが載置されている平面上のプリンタの後方側にファンフォールド紙をセットしなければならず、プリンタが載置されている平面上のプリンタの後方側にファンフォールド紙をセットする際には、ファンフォールド紙を収納箱から取り出す必要があるため、ファンフォールド紙を収納箱から取り出す時に、ファンフォールド紙の束がずれてしまう可能性がある。ファンフォールド紙の束がずれた状態でプリンタへの供給が行われると、用紙走行が不安定になってファンフォールド紙がプリンタにねじれて供給されてしまい、用紙詰まりを引き起こしてしまうという問題点があった。
【特許文献１】実開昭５８−４８４５２号公報
【発明の開示】
【発明が解決しようとする課題】
【０００４】
本発明は斯かる問題点を鑑みてなされたものであり、その目的とするところは、プリンタが載置されている平面上のプリンタの後方側に、ファンフォールド紙を収納箱から取り出すことなくセットすることができ、プリンタにファンフォールド紙を安定して供給することができ、用紙詰まりを防止することができる用紙供給装置を提供する点にある。
【課題を解決するための手段】
【０００５】
本発明は上記課題を解決すべく、以下に掲げる構成とした。
請求項１記載の発明の要旨は、プリンタにファンフォールド紙を供給する用紙供給装置であって、前記プリンタが載置されている平面上の前記プリンタの後方側に配置され、前記ファンフォールド紙が収納されたファンフォールド紙収納箱が載置される載置部と、該載置部と前記プリンタとを連結する連結手段と、前記プリンタの載置面に対して平行で、且つ前記プリンタの用紙供給口と略同じ高さに配置されている搬送ローラとを具備することを特徴とする用紙供給装置に存する。
また請求項２記載の発明の要旨は、前記搬送ローラは、前記ファンフォールド紙の送り方向に対して平行に移動可能で、且つ前記載置部に載置された前記ファンフォールド紙収納箱に収納されている前記ファンフォールド紙の前記プリンタに対向する横ミシン目上に固定可能であることを特徴とする請求項１記載の用紙供給装置に存する。
また請求項３記載の発明の要旨は、前記ファンフォールド紙収納箱をセンター振り分けで位置決めする一対のガイド板を具備し、該一対のガイド板には、前記搬送ローラが貫通する長手方向が送り方向に対して平行な長穴がそれぞれ形成されていることを特徴とする請求項２記載の用紙供給装置に存する。
【発明の効果】
【０００６】
本発明の用紙供給装置は、プリンタが載置されている平面上のプリンタの後方側に配置され載置部に載置されたファンフォールド紙を、プリンタの載置面に対して平行で、且つプリンタの用紙供給口と略同じ高さに配置されている搬送ローラによって案内するように構成することにより、プリンタが載置されている平面上のプリンタの後方側に、ファンフォールド紙を収納箱から取り出すことなくセットすることができ、プリンタにファンフォールド紙を安定して供給することができ、用紙詰まりを防止することができるという効果を奏する。
【発明を実施するための最良の形態】
【０００７】
以下、本発明の実施の形態を図面に基づいて詳細に説明する。
【０００８】
図１は、本発明に係る用紙供給装置に載置されるファンフォールド紙収納箱の構成を示す概略斜視図であり、図２は、図１に示すファンフォールド紙収納箱の開封状態の構成を示す概略斜視図である。
【０００９】
まず、本実施の形態の用紙供給装置に載置されるファンフォールド紙収納箱１について図１および図２を参照して説明する。
ファンフォールド紙収納箱１は、ファンフォールド紙２を収納する直方体の段ボール箱であり、底面の一辺と、当該一辺に接続する両側面の対角線上と、当該対角線に接続する上面の一辺とに切断加工３が施されており、切断加工３が施されている底面の一辺を切り取ることによって、底面と正面とが切り離され、切断加工３が施されている両側面の対角線をそれぞれ切り取ることによって、両側面が対角線でそれぞれ切り離され、切断加工３が施されている上面の一辺を切り取ることによって、上面と背面とが切り離される構成になっている。従って、切断加工３が施されている箇所を全て切り取ることによって、ファンフォールド紙収納箱１は、底面と背面とを含む用紙収納部４と、上面と正面とを含む蓋部５とに分離される。なお、切断加工３としては、段ボールに部分的に切り込みを入れたミシン目加工、段ボールの内側に開封用テープを貼って、開封用テープを外から引っ張ることによって段ボールを切断できるようにするイージーオープン加工、予め切断されている状態をテープ等で封止するテープ封止加工等を採用することができる。
【００１０】
ファンフォールド紙２は、図１（ｂ）および図２（ａ）に示すように、蓋部５を取り除くことによって解放される正面側に横ミシン目（折り目）が位置する状態で、底部に取っ手８が形成されているビニール袋７に包まれてファンフォールド紙収納箱１に収納されている。
【００１１】
ビニール袋７は、図２（ａ）を参照すると、開口が下側、すなわち用紙収納部４の底面側を向くように、且つ底部に形成されている取っ手８が上面側に位置するようにファンフォールド紙２を包んでおり、ユーザが取っ手８を掴んで上方に引っ張ることによって、簡単にビニール袋７をファンフォールド紙２から取り除くことができるようになっている。
【００１２】
ファンフォールド紙収納箱１の開封は、まず、底面の一辺と、当該一辺に接続する両側面の対角線とを切断加工３が施された箇所で切り取り、図１（ｂ）に示すように、上面の切断加工３が施されている一辺を中心に蓋部５を上方に回動させる。なお、切断加工３が施された底面の一辺に接続する箇所には、押さえ用切断加工６が施されており、押さえ用切断加工６の部分を指で押さえて穴を開けることにより、両側面に施された切断加工３を容易に切り取ることができる構成になっている。
【００１３】
次に、上面の一辺を切断加工３が施された箇所で切り取り、図２（ａ）に示すように、蓋部５を用紙収納部４から取り除き、取っ手８を引っ張ってファンフォールド紙２を覆っているビニール袋７を取り除く。これにより、図２（ｂ）に示すように、ファンフォールド紙２は、正面側に横ミシン目（折り目）が位置するように用紙収納部４に載置された状態となり、この状態で後述する用紙供給装置１０にセットされる。
【００１４】
なお、本実施の形態では、切断加工３が施された底面の一辺に接続する両側面の対角線上に切断加工３を施すように構成したが、切断加工３を施す箇所は、切断加工３が施された底面の一辺に接続し、両側面の対角を結ぶ線上であれば、曲線上であっても良い。
【００１５】
次に、本実施の形態の用紙供給装置１０について図３乃至図６を参照して詳細説明する。
図３は、本発明に係る用紙供給装置の本実施の形態の構成を示す概略斜視図であり、図４は、図３に示す用紙供給装置の構成を示す概略側面図であり、図５は、図３に示す搬送ローラの構成を示す概略斜視図であり、図６は、図３に示す用紙供給装置の構成を示す概略上面図であり、図７は、図３に示す用紙供給装置に蓋部が切り取られたファンフォールド紙収納箱が載置された状態を示す概略斜視図である。
【００１６】
用紙供給装置１０は、図３を参照すると、プリンタ３０が載置されている平面上の、プリンタ３０の後方側に配置されるものであり、底板１１と、２枚の側板１２と、２枚の側板１２間を連結するガイド棒１３とからなる載置部が、プリンタ３０の後方面に４本の連結棒１４によって固定されている。載置部（底板１１）には、蓋部５が切り取られたファンフォールド紙収納箱１（用紙収納部４）が載置され、蓋部５が切り取られたファンフォールド紙収納箱１（用紙収納部４）からファンフォールド紙２がプリンタ３０に供給される構成になっている。以下、ファンフォールド紙２がプリンタ３０に供給される方向を送り方向と称し、プリンタ３０が載置されている平面と平行で且つ送り方向と直交する方向を幅方向と称す。
【００１７】
連結棒１４は、載置部をプリンタ３０に対して位置決めするための部材であり、幅方向の位置と、載置部とプリンタ３０との距離とを規制する。なお、連結棒１４を伸縮可能なスライド棒で構成し、載置部とプリンタ３０との距離を可変にするようにしても良い。
【００１８】
２枚の側板１２には、図４を参照すると、プリンタ３０の用紙供給口３１と略同じ高さに搬送ローラ貫通穴１５が形成されており、図３を参照すると、搬送ローラ１６が搬送ローラ貫通穴１５を貫通して２枚の側板１２間に掛け渡されている。従って、搬送ローラ１６は、プリンタ３０が載置されている平面に対して平行で、且つプリンタ３０の用紙供給口３１と略同じ高さに配置されることになる。搬送ローラ貫通穴１５は、長手方向が送り方向に対して平行な長穴であり、搬送ローラ１６を送り方向に対して平行に移動できるようになっている。また、２枚の側板１２の上面には、搬送ローラ１６の移動可能範囲に対応する目盛２９が設けられている。
【００１９】
搬送ローラ１６は、図５に示すように、両端にネジ穴１７が形成されている支柱１８と、支柱１８に環装されている円筒状のパイプ柱１９とからなり、支柱１８とパイプ柱１９との間に設けられている図示しないボールベアリングによって、パイプ柱１９が自在に回転できるように構成されている。
【００２０】
支柱１８の両端には、留め具２０が２枚の側板１２を介してそれぞれ取り付けられていている。留め具２０は、留め具２０に設けられているネジ部２１を支柱１８の両端に形成されているネジ穴１７に螺着することによって支柱１８に取り付けられており、留め具２０をネジ部２１がネジ穴１７に螺入される方向に回転させて、支柱１８の両端に取り付けられている留め具２０の間隔を狭めることにより、支柱１８を２枚の側板１２間に固定させることができ、反対に留め具２０をネジ部２１がネジ穴１７から螺出される方向に回転させることにより、支柱１８の両端に取り付けられている留め具２０の間隔が拡がり、支柱１８を側板１２に形成されている搬送ローラ貫通穴１５に沿ってプリンタ３０の載置面に対して平行に移動させることができるように構成されている。
【００２１】
図３を参照すると、搬送ローラ貫通穴２３と、ガイド棒貫通穴２４とがそれぞれ形成された一対のガイド板２２が２枚の側板１２間に設けられており、ガイド板２２は、搬送ローラ貫通穴２３を貫通している搬送ローラ１６と、ガイド棒貫通穴２４を貫通しているガイド棒１３とに沿って、図６に矢印で示すように、幅方向に移動させることができる構成になっている。また、ガイド板２２には、ガイドつまみ２５が設けられており、ガイドつまみ２５を掴んで幅方向に移動させることにより、ガイド板２２を幅方向に簡単に移動させることができる。
【００２２】
底板１１には、溝部２６がファンフォールド紙２の送り方向に対して直交に形成されており、溝部２６の中央部には、プーリギア２７が回転自在に固設されていると共に、一対のガイド板２２の底面には、プーリギア２７と咬合するラック２８がそれぞれ固設されている。これにより、一対のガイド板２２は、ラック２８とプーリギア２７とからなるスライド機構によって、幅方向の間隔をセンター振り分けで調整可能になっており、一対のガイド板２２を幅方向に移動させ、ファンフォールド紙収納箱１（用紙収納部４）を位置決めすることによって、プリンタ３０における印字範囲のセンターと、用紙供給装置１０の紙載置部に載置されたファンフォールド紙収納箱１（用紙収納部４）のセンター、すなわちファンフォールド紙２のセンターとを位置合わせすることが可能となる。
【００２３】
なお、ラック２８とプーリギア２７とからなるスライド機構は、溝部２６内に配置されているため、用紙供給装置１０の載置部、すなわち底板１１上にファンフォールド紙収納箱１（用紙収納部４）が載置されても、一対のガイド板２２を幅方向に移動させることができる。
【００２４】
次に、ファンフォールド紙２をプリンタ３０にセットする手順について説明する。
まず、図２（ｂ）に示す状態のファンフォールド紙収納箱１（用紙収納部４）を載置部（底板１１）に正面側がプリンタ３０に対向するように載置し、一対のガイド板２２を幅方向に移動させて、プリンタ３０における印字範囲のセンターと、用紙供給装置１０の載置部に載置されたファンフォールド紙収納箱１（用紙収納部４）のセンター、すなわちファンフォールド紙２のセンターとを位置合わせする。
【００２５】
次に、搬送ローラ１６を送り方向に対して平行に移動させて、図６に示すように、ファンフォールド紙収納箱１（用紙収納部４）に載置されているファンフォールド紙２の最もプリンタ３０に近い箇所、すなわちプリンタ３０に対向する横ミシン目（折り目）上に、且つ送り方向に対して垂直になるように固定する。なお、２枚の側板１２の上面にそれぞれ設けられた目盛２９によって、簡単に送り方向に対して垂直になるように位置決めすることができる。
【００２６】
次に、図７に示すように、ファンフォールド紙２の先端を引き出し、搬送ローラ１６の上を通してプリンタ３０の用紙供給口３１にセットする。搬送ローラ１６は、図４に示すように、プリンタ３０の載置面に対して平行で、且つプリンタ３０の用紙供給口３１と略同じ高さに配置されているため、ファンフォールド紙２は、プリンタ３０の載置面に対して平行にプリンタ３０の用紙供給口３１に供給され、ファンフォールド紙２に負荷を与えない状態でプリンタ３０に供給することができる。
【００２７】
以上説明したように、本実施の形態によれば、プリンタ３０が載置されている平面上のプリンタ３０の後方側に配置された載置部に載置されたファンフォールド紙２を、プリンタ３０の載置面に対して平行で、且つプリンタ３０の用紙供給口３１と略同じ高さに配置されている搬送ローラ１６によって案内するように構成することにより、プリンタ３０が載置されている平面上のプリンタ３０の後方側に、ファンフォールド紙２をファンフォールド紙収納箱１から取り出すことなくセットすることができ、プリンタ３０にファンフォールド紙２を安定して供給することができ、用紙詰まりを防止することができるという効果を奏する。
【００２８】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２９】
【図１】本発明に係る用紙供給装置に載置されるファンフォールド紙収納箱の構成を示す概略斜視図である。
【図２】図１に示すファンフォールド紙収納箱の開封状態の構成を示す概略斜視図である。
【図３】本発明に係る用紙供給装置の本実施の形態の構成を示す概略斜視図である。
【図４】図３に示す用紙供給装置の構成を示す概略側面図である。
【図５】図３に示す搬送ローラの構成を示す概略斜視図である。
【図６】図３に示す用紙供給装置の構成を示す概略上面図である。
【図７】図３に示す用紙供給装置に蓋部が切り取られたファンフォールド紙収納箱が載置された状態を示す概略斜視図である。
【符号の説明】
【００３０】
１  ファンフォールド紙収納箱
２  ファンフォールド紙
３  切断加工
４  用紙収納部
５  蓋部
６  押さえ用切断加工
７  ビニール袋
８  取っ手
１０  用紙供給装置
１１  底板
１２  側板
１３  ガイド棒
１４  連結棒
１５  搬送ローラ貫通穴
１６  搬送ローラ
１７  ネジ穴
１８  支柱
１９  パイプ柱
２０  留め具
２１  ネジ部
２２  ガイド板
２３  搬送ローラ貫通穴
２４  ガイド棒貫通穴
２５  ガイドつまみ
２６  溝部
２７  プーリギア
２８  ラック
２９  目盛
３０  プリンタ
３１  用紙供給口
【図１】
2005179042.tif 000003
【図２】
2005179042.tif 000004
【図３】
2005179042.tif 000005
【図４】
2005179042.tif 000006
【図５】
2005179042.tif 000007
【図６】
2005179042.tif 000008
【図７】
2005179042.tif 000009